(57)【要約】【課題】治療パターンにバリエーションを加え、更に、このバリエーションを治療パターンに選択的に加え、快適なマッサージを施すことができる変化機能付き水圧マッサージ機を提供すること。【解決手段】水圧マッサージ機（２７）において、ノズル（８）に噴射水を供給する噴射水供給部（２８）に、ノズル（８）への噴射圧を間欠及び強弱させる間欠強弱機能（３２）が設けられ、ノズル（８）への噴射圧及び移動態様に係る治療パターンを記憶する治療プログラム記憶部（２４）が設けられ、前記間欠強弱機能（３２）は、治療プログラム記憶部（２４）に基づいて実行される前記治療パターンとは無関係に、ノズル（８）の噴射強さを間欠又は強弱させることができる変化機能付き水圧マッサージ機である。【選択図】図１
2005080707.tif 000002
【特許請求の範囲】
【請求項１】
水圧マッサージ機（２７）において、ノズル（８）に噴射水を供給する噴射水供給部（２８）に、ノズル（８）への噴射圧を間欠及び強弱させる間欠強弱機能（３２）が設けられ、更に、ノズル（８）への噴射圧及び移動態様に係る治療パターンを記憶する治療プログラム記憶部（２４）が設けられ、前記間欠強弱機能（３２）は、治療プログラム記憶部（２４）に基づいて実行される前記治療パターンとは無関係に、ノズル（８）の噴射強さを間欠又は強弱させることができる変化機能付き水圧マッサージ機。
【請求項２】
治療プログラム記憶部（２４）に、インターバル治療メニュー記憶機能（３０）とラビング治療メニュー記憶機能（３１）とが設置され、これらの機能に基づいて実行されるノズル（８）作動に、間欠強弱機能（３２）に基づいて実行される作動を、選択的に付加し又は削除する選択スイッチ（３８）が設けられることを特徴とする請求項１記載の変化機能付き水圧マッサージ機。
【請求項３】
ノズル（８）を水圧マッサージ機（２７）の短手方向に移動させる横移動機構（４４）と、ノズル（８）を水圧マッサージ機（２７）の長手方向に移動させる縦移動機構（４５）が設けられ、これらの機構は治療プログラム記憶部（２４）の出力で制御されるものであり、更に、前記治療プログラム記憶部（２４）の出力と、間欠強弱機能（３２）の出力とを同期させる同期機能（４３）が設けられ、ノズル（８）の前記短手方向の往復作動に、ノズル（８）への噴射圧の間欠作動又は強弱作動を同期させることができ、又は、ノズル（８）の前記長手方向の往復作動に、ノズル（８）への噴射圧の間欠作動又は強弱作動を同期させることができることを特徴とする請求項１記載の変化機能付き水圧マッサージ機。
【発明の詳細な説明】
【技術分野】
【０００１】
本発明は、マッサージを受けようとする臥姿勢の人体（＝以下患者という）の頸部、体幹及び下肢を、噴射水圧によりマッサージする変化機能付き水圧マッサージ機に関する。
【背景技術】
【０００２】
従来の技術は、袋体、ウォーターシート、ベッド、振動発生手段、ウォーターシート内の水、水噴射手段、水噴射口等から構成される。振動発生手段の駆動によりスイング、シェイク、シャッフルの三つのマッサージパターンが得られる。
【０００３】
従来の技術は、スイング（振動数５ヘルツ）、シェイク（振動数１０ヘルツ）、シャッフル（振動数1５ヘルツ）の三つのマッサージパターンをミキシングしてマッサージを施すことができる。しかし、このマッサージパターンとは無関係に間欠作動又は強弱作動のバリエーションを加える構成は無く、更に、このバリエーションを選択的に加えたり削除したりする構成も無い。
【特許文献１】特開２００３−１０２７５号公報
【発明の開示】
【発明が解決しようとする課題】
【０００４】
解決しようとする問題点は、従来技術は振動発生手段のみによるマッサージ治療パターンしかなく、この治療パターンに間欠作動又は強弱作動のバリエーションを加える間欠強弱機能が無いという点であり、更に、前記バリエーションを治療パターンに選択的に加えたり削除したりする選択スイッチも無いという点である。
又、ノズルへの噴射圧を変更することによって治療パターンにバリエーションを加える装置が要望されていた。
【課題を解決するための手段】
【０００５】
本発明の目的は、上記要望に応えたものであり、治療パターンにバリエーションを加え、更に、このバリエーションを治療パターンに選択的に加え、快適なマッサージを施すことができる変化機能付き水圧マッサージ機を提供することにある。
即ち本発明は、水圧マッサージ機（２７）において、ノズル（８）に噴射水を供給する噴射水供給部（２８）に、ノズル（８）への噴射圧を間欠及び強弱させる間欠強弱機能（３２）が設けられ、更に、ノズル（８）への噴射圧及び移動態様に係る治療パターンを記憶する治療プログラム記憶部（２４）が設けられ、前記間欠強弱機能（３２）は、治療プログラム記憶部（２４）に基づいて実行される前記治療パターンとは無関係に、ノズル（８）の噴射強さを間欠又は強弱させることができる変化機能付き水圧マッサージ機である。
又、治療プログラム記憶部（２４）に、インターバル治療メニュー機能（３０）、ラビング治療メニュー機能（３１）が設置され、これらの機能に基づいて実行されるノズル（８）作動に、間欠強弱機能（３２）に基づいて実行される作動を、選択的に付加し又は削除する選択スイッチ（３８）が設けられる。
更に、ノズル（８）を水圧マッサージ機（２７）の短手方向に移動させる横移動機構（４４）と、ノズル（８）を水圧マッサージ機（２７）の長手方向に移動させる縦移動機構（４５）が設けられ、これらの機構は治療プログラム記憶部（２４）の出力で制御されるものであり、更に、前記治療プログラム記憶部（２４）の出力と、間欠強弱機能（３２）の出力とを同期させる同期機能（４３）が設けられ、ノズル（８）の前記短手方向の往復作動に、ノズル（８）への噴射圧の間欠作動又は強弱作動を同期させることができ、又は、ノズル（８）の前記長手方向の往復作動に、ノズル（８）への噴射圧の間欠作動又は強弱作動を同期させることができる。
【発明の効果】
【０００６】
本発明は、水圧マッサージ機２７において、ノズル８への噴射圧を間欠及び強弱させる間欠強弱機能３２を噴射水供給部２８に設け、間欠強弱機能３２で治療プログラム記憶部２４に基づいて実行される治療パターンとは無関係に随時選択的にノズル８の噴射強さを間欠又は強弱させることができるものであるから、治療パターンに基づいて実行される水圧マッサージに、随時選択的に、間欠作動又は強弱作動を付与でき、マッサージ治療に変化を付与でき、好適なマッサージ治療を施せ、好都合である。
或いは、間欠作動又は強弱作動の付与を中止することも容易に出来、過度の揺れを抑制し船酔いを未然に防ぐことが出来、好適なマッサージ治療を施せ、好都合である。
【０００７】
本発明は、治療プログラム記憶部２４に、インターバル治療メニュー記憶機能３０、ラビング治療メニュー記憶機能３１が設置され、これらの機能に基づいて実行されるノズル８作動に、間欠強弱機能３２の出力に基づいて実行される作動を、選択的に付加し又は削除する選択スイッチ３８を設けたものであるから、インターバル治療パターン、又は、ラビング治療パターンで実行される水圧マッサージに、ノズル８の噴射水の間欠変化又は噴射水の強弱変化を、適宜付加したり止めたりでき、マッサージのバリエーションを増やし、患者の要望に応じて好適なマッサージを付与でき、好都合である。
【０００８】
又、治療途中でも、選択スイッチ３８を操作しても、新規に時間設定スイッチ３４をリセットしなくてよく、マッサージ治療をやり直すことなく、一治療時間内において引き続いて間欠化を付加したり止めたり、又は、強弱変化を付加したり止めたりでき、時間的なロスも生じないので、好都合である。
【０００９】
更に、患者が船酔いを催しそうになると、選択スイッチ３８を切り、即座にマッサージ作動における間欠変化を止め又は強弱変化を止めることができ、揺れの少ないマッサージ態様に切り替えて気分の改善が図れ、好都合である。
【００１０】
本発明は、治療プログラム記憶部２４の出力と間欠強弱機能３２の出力とを同期させる同期機能４３を備えており、ノズル８が横方向（＝水槽１の短手方向、左右方向）に繰り返し往復する作動に、ノズル８への噴射圧の間欠作動又は強弱作動が同期し、又は、ノズル８が縦方向（＝水槽１の長手方向、前後方向）に繰り返し往復する作動に、ノズル８への噴射圧の間欠作動又は強弱作動が同期するものであるから、これらの同期を実行することによって、横方向に係る揉み方向を左方向の一方向に又は右方向の一方向にすることができ、或いは、縦方向に係る揉み方向を前進方向の一方向に、又は、後退方向の一方向にすることができ、治療部位に適応したマッサージや、患者の好みに合ったマッサージを施せ、好都合である。
【発明を実施するための最良の形態】
【００１１】
本発明の水圧マッサージ機２７で患者にマッサージを施す。
噴射水供給部２８はノズル８に噴射水を供給する。間欠強弱機能３２はノズル８への噴射圧を間欠又は強弱させる。治療プログラム記憶部２４はノズル８への噴射圧及び移動態様に係る治療パターンを記憶する。前記間欠強弱機能３２は、治療プログラム記憶部２４に基づいて実行される前記治療パターンとは無関係に、ノズル８の噴射強さを間欠又は強弱させる。
【００１２】
治療プログラム記憶部２４に設置されるインターバル治療メニュー記憶機能３０は、ノズル８が患者に強弱マッサージ又は間欠マッサージをしながら前後移動（＝水槽１の長手方向に移動）するパターンを記憶している。
治療プログラム記憶部２４に設置されるラビング治療メニュー記憶機能３１は、患者に強弱マッサージ又は間欠マッサージをしながら横方向に小さく円弧状に往復しながら前後移動するパターンを記憶している。
【００１３】
操作部２５は水圧マッサージ機２７の電気的作動を操作する。
操作部２５に設けられる選択スイッチ３８は、治療プログラム記憶部２４に基づいて実行される作動に、間欠強弱機能３２に基づいて実行される作動を、選択的に付加し又は削除する。
【００１４】
制御部２６は、治療プログラム記憶部２４の出力及び操作部２５の出力を得て、ポンプ１９、縦移動モータ１０及び回転移動モータ１３を制御する。制御部２６に備わる同期機能４３は、治療プログラム記憶部２４の出力に、間欠強弱機能３２の出力を同期させる。
同期機能４３は、ノズル８が横方向に繰り返し往復する作動に、同期させて該ノズル８への噴出圧の間欠作動又は強弱作動をなす。又は、ノズル８が縦方向に繰り返し往復する作動に、同期してノズル８への噴出圧の間欠作動又は強弱作動をなす。
【実施例１】
【００１５】
図１、２に本発明の実施例１を示している。
実施例１は、水を満たす水槽１と、該水槽１内にあってノズル８を有し該ノズル８を水槽１の縦及び横方向に移動させるノズル機構２と、ノズル機構２に水を供給する循環機構３と、水槽１の開口部４を水密に覆う可撓膜５とからなる。
【００１６】
水槽１は平面視長方形の容器であり、水を収容する。水槽１の上面は開口してなる開口部４である。
尚、水槽１の形状は、平面視長方形に限定されるものではなく、平面視楕円形又は正方形又は適宜な任意な形状であってもよい。
【００１７】
前記可撓膜５は、伸縮材で製作され、水槽１の全周縁に止着される。
【００１８】
前記ノズル機構２は、水槽１の底壁６に載置され水槽１の縦方向（＝長手方向）に移動可能な台車７と、台車７の上部に形成されるノズル８と、該ノズル８を水槽１の横方向（＝短手方向）に移動させる横移動機構４４と、ノズル８を水槽１の縦方向に移動させる縦移動機構４５とからなる。
縦移動機構４５は、水槽１の縦方向に掛け渡され台車７を移動させる移動用ネジ軸９と、移動用ネジ軸９を回動させ水槽１の外側に設けられる縦移動モータ１０とからなる。
横移動機構４４は、水槽１の縦方向に掛け渡されノズルベース１１を回転させる回転用軸１２と、回転用軸１２を回動させ水槽１の外側に設けられる回転移動モータ１３とからなる。
台車７の側面には取水口１４が設けられる。
【００１９】
移動用ネジ軸９は、台車７に設けられる雌螺子１５に螺合される。回転用軸１２にウォーム４６が設けられ、該ウォーム４６はノズルベース１１に設けられるウォームホイール１６に係合される。台車７の下部には底壁６を転動する車輪１７が設けられる。
【００２０】
循環機構３は、水槽１内の水をポンプ１９で吸入し圧縮し、ノズル８へ付与し、循環させるものである。
前記ポンプ１９は、水槽１内の水を、底壁６に開設された吸入口２０から循環管路１８を介して吸入し、加圧し、加圧した加圧水を前記ノズル８へ付与し、ノズル８から噴射させるものである。
【００２１】
ポンプ１９の吐水口２１に基端が取着されたホース２２の先端は、底壁６の出水口２３を貫通し台車７の取水口１４に接続される。前記加圧水は、台車７の内部においてノズル８に導かれる。尚、出水口２３は水槽１の側壁に設けられてもよい。
前記ノズル８から加圧水が噴射され、この噴出水は、可撓膜５を介して患者に当たり、患者を押圧刺激する。
【００２２】
尚、図示を省略するが、水槽１に、該水槽１の上部に有るエアーを抜くエアー抜き装置が設けられる。可撓膜５下に溜まるエアーは前記エアー抜き装置から必要に応じて抜き去られる。
【００２３】
図１に示す電気的構成を説明する。
電気的構成は、ノズル８への噴射圧及び移動態様に係る治療パターンを記憶し、且つ、噴射水供給部２８、縦移動モータ１０及び回転移動モータ１３を制御する前記治療プログラム記憶部２４と、操作部２５の出力を得て、治療プログラム記憶部２４及び間欠強弱機能３２を制御する制御部２６と、水圧マッサージ機２７の電気的作動を操作する前記操作部２５と、ノズル８に噴射水を供給する前記噴射水供給部２８と、ノズル８を縦移動させる縦移動機構４５及びノズル８を横移動させる横移動機構４４を有するノズル移動部２９とからなる。
【００２４】
治療プログラム記憶部２４には、インターバル治療メニュー記憶機能３０と、ラビング治療メニュー記憶機能３１が備わる。噴射水供給部２８には、間欠強弱機能３２、周波数変換器３３及びポンプ１９が備わる。
ノズル移動部２９には、縦移動機構４５の駆動源である縦移動モータ１０及び横移動機構４４の駆動源である回転移動モータ１３が備わる。
【００２５】
操作部２５には、水圧マッサージ機２７の一回の施療に係る作動時間を設定する時間設定スイッチ３４と、インターバル治療メニュー記憶機能３０或いはラビング治療メニュー記憶機能３１の何れかを選択する治療プログラムスイッチ３５と、間欠或いは強弱の何れかを設定し更に強弱の値を設定する間欠強弱設定スイッチ３６と、水圧マッサージ機２７を始動又は停止させる開始停止スイッチ３７と、間欠又は強弱を任意に設定したり解除する選択スイッチ３８と、マッサージの強さを調節する強さ調節スイッチ３９とが備わる。
【００２６】
前記強さ調節スイッチ３９でノズル８への噴射圧の強弱の値を設定する場合、施療者が噴射圧の「強」を適宜な値に設定する。噴射圧の「弱」は噴射圧の「強」の設定値の７割とする。前記割合の値は適宜変更できる。
上記噴射圧の強弱の値の設定に係る他の例では、噴射圧の「強」の値は施療者が適宜に設定し、「弱」の値は一定とし施療者は設定しない。
【００２７】
制御部２６は、操作部２５の信号を得て、噴射水供給部２８及びノズル移動部２９へ給電し駆動制御する。
制御部２６は、治療プログラム記憶部２４の出力に、間欠強弱機能３２の出力を同期させる同期機能４３を備えている。
【００２８】
図１中、４２は電源、図２中、４０は水位センサ、４１は底壁６に設けられ水槽１内の水温を図る温度センサである。
【００２９】
実施例１を使用する際は、先ず、水槽１に水を満たす。
次に、患者を、水槽１の開口部４を覆った可撓膜５上に乗せる。開口部４に張設されている可撓膜５の張力、及び水槽１内の水の浮力が作用し、患者を支持する。
【００３０】
続いて、ポンプ１９を駆動させると、該ポンプ１９は吸入口２０から水槽１内の水を吸入し、吸入した水をノズル８から噴射する。
可撓膜５は、伸縮性を有しているので、患者に押されて自在に変形し患者外形状によく添うと共に、噴射水の圧力を受けて自在に凸状に変形する。
【００３１】
可撓膜５に噴射水が衝突し該膜５は上方に瞬時突出変形し、可撓膜５を介して患者を押圧しマッサージ刺激を与える。
可撓膜５は、噴出水の衝撃に係るエネルギーの減衰を少なくして、当該エネルギーを患者に伝導する。
【００３２】
前記ノズル８は、台車７の移動に伴って縦方向に移動し、ノズルベース１１の回動に伴って回転しながら横方向に移動する。
【００３３】
マッサージ態様例を示すと、治療プロブラム設定スイッチ３５でインターバル治療メニューを設定し、間欠強弱設定スイッチ３６で強弱を設定し、更に、選択スイッチ３８を投入しマッサージを行なうと、インターバル治療メニューに係る所定作動をなすと共に、ノズル８から噴射する水圧に強弱が加わる。前述のような移動と噴射圧をもってマッサージを施す。
【００３４】
治療プロブラム設定スイッチ３５で治療プログラム記憶部２４に設置されるラビング治療メニューを設定し、間欠強弱設定スイッチ３６で間欠を設定し、更に、選択スイッチ３８を投入しマッサージを行なうと、ラビング治療メニューに係る所定作動をなすと共に、ノズル８の水の噴射作動を間欠させる。前述のような移動と噴射圧をもってマッサージを施す。
【００３５】
制御部２６に備わる同期機能４３は、ノズル８が横方向に繰り返し往復する作動に、ノズル８への噴射圧の間欠作動又は強弱作動を同期させる。又は、前記同期機能４３は、ノズル８が縦方向に繰り返し往復する作動に、ノズル８への噴射圧の間欠作動又は強弱作動を同期させる。
【産業上の利用可能性】
【００３６】
本発明は、マッサージ治療パターンにバリエーションを加え、更に、このバリエーションを治療パターンに選択的に加えたり中止したりして快適なマッサージを施す水圧マッサージ機２７に適用できる。
【図面の簡単な説明】
【００３７】
【図１】本発明の実施例１の電気的構成を示す図である。
【図２】本発明の実施例１の側断面図である。
【符号の説明】
【００３８】
８  ノズル
２４  治療プログラム記憶部
２５  操作部
２６  制御部
２７  水圧マッサージ機
２８  噴射水供給部
３０  インターバル治療メニュー記憶機能
３１  ラビング治療メニュー記憶機能
３２  間欠強弱機能
３８  選択スイッチ
４３  同期機能
４４  横移動機構
４５  縦移動機構
【図１】
2005080707.tif 000003
【図２】
2005080707.tif 000004